(57)【要約】      （修正有）【課題】  膜厚分布の少ない被膜を形成するスピンコート用基板を提供し、膜厚分布の少ない被膜を有するセンサー用固体基板を提供すること。【解決手段】  基板の外周部の一部または全周にわたって、塗布面以外の面を塗布面に隣接して有することを特徴とするスピンコート用基板。【選択図】図１
2006212534.tif 000002
【特許請求の範囲】
【請求項１】
基板の外周部の一部または全周にわたって、液飛散面を塗布面に隣接して有することを特徴とするスピンコート用基板。
【請求項２】
前記液飛散面が塗布面に対して１μｍ以上５ｍｍ以下の高い面である、請求項１に記載の基板。
【請求項３】
前記液飛散面が塗布面に対して１μｍ以上５ｍｍ以下の低い面である、請求項１に記載の基板。
【請求項４】
前記液飛散面が塗布面に対して上方向または下方向に０°より大きく９０°未満の角度で設置されている、請求項１に記載の基板。
【請求項５】
前記液飛散面の面積が塗布面の面積より小さい、請求項１から４の何れかに記載の基板。
【請求項６】
請求項１から４の何れかに記載の基板上にスピンコートにより被膜を形成することを含む、センサー用固体基板の製造方法。
【請求項７】
請求項１から４の何れかに記載の基板上にスピンコートにより製造される被膜を有するセンサー用固体基板。
【請求項８】
基板上の膜厚分布が実質的に均一である、請求項７に記載のセンサー用固体基板。
【請求項９】
被膜が疎水性ポリマー層であり、基板から最も離れた層に表面修飾層を有する請求項７又は８に記載のセンサー用固体基板。
【請求項１０】
前記表面修飾層が、共有結合を生成することのできる官能基を有する、請求項９に記載のセンサー用固体基板。
【請求項１１】
固体基板と疎水性ポリマー層との間に金属層を有する、請求項７から１０の何れかに記載のセンサー用固体基板。
【請求項１２】
金属膜が、金、銀、銅、白金又はアルミニウムからなる群より選ばれる自由電子金属からなるものである、請求項１１に記載のセンサー用固体基板。
【請求項１３】
基板上の最表面に生理活性物質を固定化することができる官能基を有する、請求項７から１２の何れかに記載のセンサー用固体基板。
【請求項１４】
生理活性物質を固定化することができる官能基が、−ＯＨ、−ＳＨ、−ＣＯＯＨ、−ＮＲ1Ｒ2（式中、Ｒ1及びＲ2は互いに独立に水素原子又は低級アルキル基を示す）、−ＣＨＯ、−ＮＲ3ＮＲ1Ｒ2（式中、Ｒ1、Ｒ2及びＲ3は互いに独立に水素原子又は低級アルキル基を示す）、−ＮＣＯ、−ＮＣＳ、エポキシ基、またはビニル基である、請求項１３に記載のセンサー用固体基板。
【請求項１５】
非電気化学的検出に使用される、請求項７から１４の何れかに記載のセンサー用固体基板。
【請求項１６】
表面プラズモン共鳴分析に使用される、請求項７から１５の何れかに記載のセンサー用固体基板。
【請求項１７】
生理活性物質が表面に結合している、請求項７から１６の何れかに記載のセンサー用固体基板。
【請求項１８】
請求項７から１６の何れかに記載のセンサー用固体基板の表面に生理活性物質を接触させて固定化する工程、及び、得られた生理活性物質が表面に結合したセンサー用固体基板と被験物質とを接触させる工程を含む、該生理活性物質と相互作用する物質を検出または測定する方法。
【発明の詳細な説明】
【技術分野】
【０００１】
本発明は、膜厚分布の少ない薄膜を形成するスピンコート成膜用基板、および膜厚分布の少ないスピンコート成膜された被膜を有するセンサー用固体基板に関する。
【背景技術】
【０００２】
現在、臨床検査等で免疫反応など分子間相互作用を利用した測定が数多く行われているが、従来法では煩雑な操作や標識物質を必要とするため、標識物質を必要とすることなく、測定物質の結合量変化を高感度に検出することのできるいくつかの技術が使用されている。例えば、表面プラズモン共鳴（ＳＰＲ）測定技術、水晶発振子マイクロバランス（ＱＣＭ）測定技術、金のコロイド粒子から超微粒子までの機能化表面を使用した測定技術である。ＳＰＲ測定技術はチップの金属膜に接する有機機能膜近傍の屈折率変化を反射光波長のピークシフト又は一定波長における反射光量の変化を測定して求めることにより、表面近傍に起こる吸着及び脱着を検知する方法である。ＱＣＭ測定技術は水晶発振子の金電極（デバイス）上の物質の吸脱着による発振子の振動数変化から、ｎｇレベルで吸脱着質量を検出できる技術である。また、金の超微粒子（ｎｍレベル）表面を機能化させて、その上に生理活性物質を固定して、生理活性物質間の特異認識反応を行わせることによって、金微粒子の沈降、配列から生体関連物質の検出ができる。
【０００３】
上記した技術においては、いずれの場合も、生理活性物質を固定化する表面が重要である。以下、当技術分野で最も使われている表面プラズモン共鳴（ＳＰＲ）を例として、説明する。
【０００４】
一般に使用される測定チップは、透明基板（例えば、ガラス）、蒸着された金属膜、及びその上に生理活性物質を固定化できる官能基を有する薄膜からなり、その官能基を介し、金属表面に生理活性物質を固定化する。該生理活性物質と検体物質間の特異的な結合反応を測定することによって、生体分子間の相互作用を分析する。
【０００５】
生理活性物質を固定化できる官能基を有する薄膜としては、金属と結合する官能基、鎖長の原子数が１０以上のリンカー、及び生理活性物質と結合できる官能基を有する化合物を用いて、生理活性物質を固定化した測定チップが報告されている（特許文献１を参照）。また、金属膜と、該金属膜の上に形成されたプラズマ重合膜からなる測定チップが報告されている（特許文献２を参照）。
【０００６】
一方、生理活性物質と検体物質間の特異的な結合反応を測定する場合、検体物質は必ずしも単一成分ではなく、例えば細胞抽出液中などのような不均一系で検体物質を測定することも要求される。その場合、種々の蛋白質、脂質などの夾雑物が検出表面に非特異的な吸着を起こすと、測定検出感度が著しく低下する。上記の検出表面では、非特異吸着が極めて起こりやすく問題があった。
【０００７】
スピンコートによる薄膜製膜法は、被製膜基板上に塗布液を滴下し、塗布液を遠心力で延伸することで薄膜を形成させるが、膜厚に分布が発生し易い問題がある。この問題を解決するためにいくつかの方法が検討されている。例えば、被製膜基板に塗布液を滴下後密閉インナーカップ内で回転させる方法が報告されている（特許文献３）。この方法においてインナーカップ中に希釈ガスを注入しながらスピンコートする方法も報告されている（特許文献４）。しかしながら、これらの方法では基板の縁部の膜厚ムラを十分に回避できなかった。
【０００８】
【特許文献１】特許第２８１５１２０号
【特許文献２】特開平９−２６４８４３号
【特許文献３】特許第２９４２２１３号
【特許文献４】特許第３２３１９７０号
【発明の開示】
【発明が解決しようとする課題】
【０００９】
本発明は上記した従来技術の問題点を解消することを解決すべき課題とした。即ち、本発明は、膜厚分布の少ない薄膜を形成するスピンコート成膜用基板、および膜厚分布の少ないスピンコート成膜された被膜を有するセンサー用固体基板を提供することを解決すべき課題とした。
【課題を解決するための手段】
【００１０】
本発明者らは上記課題を解決するために鋭意検討を重ねた結果、スピンコート成膜用基板の外周部の一部または全周にわたって、液飛散面を塗布面に隣接して有する基板を用いることにより、膜厚分布の少ない薄膜を形成できることを見出し、本発明を完成するに至った。さらに、該方法で作製した薄膜で被覆したセンサー用固体基板においては、膜厚ムラによる感度のばらつきを抑えることができることも実証された。
【００１１】
即ち、本発明によれば、スピンコート成膜用基板の外周部の一部または全周にわたって、液飛散面を塗布面に隣接して設置することにより、塗布液を効率よく塗布面から飛散させることが可能となる。この効果によって塗布面に膜厚分布の極めて少ない薄膜を形成するこが可能となり、この基板を用いることで感度の安定したセンサー用基板を提供することができる。
【００１２】
本発明によれば、基板の外周部の一部または全周にわたって、液飛散面を塗布面に隣接して有することを特徴とするスピンコート用基板が提供される。
好ましくは、液飛散面は塗布面に対して１μｍ以上５ｍｍ以下の高い面である。
好ましくは、液飛散面は塗布面に対して１μｍ以上５ｍｍ以下の低い面である。
好ましくは、液飛散面は塗布面に対して上方向または下方向に０°より大きく９０°未満の角度で設置されている。
好ましくは、液飛散面の面積は塗布面の面積より小さい。
【００１３】
本発明の別の側面によれば、上記した本発明の基板上にスピンコートにより被膜を形成することを含む、センサー用固体基板の製造方法が提供される。
【００１４】
本発明のさらに別の側面によれば、上記した本発明の基板上にスピンコートにより製造される被膜を有するセンサー用固体基板が提供される。
好ましくは、基板上の膜厚分布は実質的に均一である。
好ましくは、被膜は疎水性ポリマー層であり、基板から最も離れた層に表面修飾層を有する。
好ましくは、前記表面修飾層は、共有結合を生成することのできる官能基を有する。
好ましくは、本発明のセンサー用固体基板は、固体基板と疎水性ポリマー層との間に金属層を有する。
好ましくは、金属膜は、金、銀、銅、白金又はアルミニウムからなる群より選ばれる自由電子金属からなるものである。
【００１５】
好ましくは、本発明のセンサー用固体基板は、基板上の最表面に生理活性物質を固定化することができる官能基を有する。
好ましくは、生理活性物質を固定化することができる官能基は、−ＯＨ、−ＳＨ、−ＣＯＯＨ、−ＮＲ1Ｒ2（式中、Ｒ1及びＲ2は互いに独立に水素原子又は低級アルキル基を示す）、−ＣＨＯ、−ＮＲ3ＮＲ1Ｒ2（式中、Ｒ1、Ｒ2及びＲ3は互いに独立に水素原子又は低級アルキル基を示す）、−ＮＣＯ、−ＮＣＳ、エポキシ基、またはビニル基である。
好ましくは、本発明のセンサー用固体基板は、非電気化学的検出に使用され、より好ましくは、表面プラズモン共鳴分析に使用される。
好ましくは、本発明のセンサー用固体基板は、生理活性物質が表面に結合している。
【００１６】
本発明のさらに別の側面によれば、上記した本発明のセンサー用固体基板の表面に生理活性物質を接触させて固定化する工程、及び、得られた生理活性物質が表面に結合したセンサー用固体基板と被験物質とを接触させる工程を含む、該生理活性物質と相互作用する物質を検出または測定する方法が提供される。
【発明の効果】
【００１７】
本発明の基板によれば、膜厚分布の少ない薄膜を基板上に製膜することが可能である。即ち、本発明によれば、膜厚分布の少ない被膜を有するセンサー用固体基板、特にポリマー薄膜で表面を被覆されたセンサー用固体基板が提供される。本発明の方法で製造したセンサー用固体基板を用いることにより、センサー検出感度のバラツキを抑えた測定が可能となる。
【発明を実施するための最良の形態】
【００１８】
以下、本発明の実施の形態について説明する。
本発明のスピンコート用基板は、基板の外周部の一部または全周にわたって、液飛散面が塗布面に隣接して設置される。本発明において液飛散面とは、塗布面からの塗布液の除去が容易とし、この結果スピンコート時に過剰の塗布液が塗布面から速やかに除去されるような機能を有する塗布面以外の面をいい、これによって塗布膜厚の均一性が極めて良好となる。外周部はスピンコート時に塗布液が集中するため、ここに液飛散面を設置することが塗布膜厚を均一化することに対して有効である。液飛散面とは具体的には、塗布面に比べて高低差を設けた面（塗布面に対して段差のある面）であり、基板が円形の場合円周部に、四角形の場合角部に塗布面以外の面を設置することができる。液飛散面の特に好ましい設置場所は、スピンコート時に塗布液が集中する遠心力の最大となる、回転中心からの距離が離れた場所である。
【００１９】
塗布面と液飛散面との高低差は、好ましくは１μｍ以上５ｍｍ以下である。液飛散面は、塗布面に対して高い位置に設置してもよいし、低い位置に設置してもよい。また、液飛散面は、塗布面に対して上方向又は下方向に０°より大きく９０°未満の角度で設置することもできる。
【００２０】
液飛散面の設置方法としては、スピンコート時の塗布面からの塗布液の移動が容易な形状であれば特に制限はない。塗布面に対して高い位置に設置する場合、乾燥前の塗布液の薄膜の厚みより低い位置とすることが好ましい。また、塗布面より低い位置に設置する場合、塗布面に対して０°より大きく９０°未満の角度で設置することで、塗布面からの塗布液の移動が容易となり好ましい。
【００２１】
図１は、塗布面と液飛散面との位置関係を示す基板の上面図と側面図の具体例を示す。図１の上面図においては、液飛散面は、スピンコート成膜用基板の外周部の一部または全周にわたって設けることができることが示されている。図１の側面図においては、塗布面に対して高い位置又は低い位置に、様々な形状で液飛散面を設置できることが示されている。
【００２２】
液飛散面の面積としては、塗布面の面積より小さいことが好ましい。
【００２３】
本発明において、被製膜基板の塗布液を滴下する面は特に制限はなく、上面、側面、下面の何れでも構わない。
【００２４】
上記した本発明の基板上にスピンコートにより被膜を形成することによってセンサー用固体基板を製造することができる。本発明の基板を用いて製造された被膜を有するセンサー用固体基板は、実質的に均一な膜厚分布を有することができる。膜厚分布は、例えば、ブラックライトなどを用いてスピンコートした基板の蛍光強度分布を観察することにより評価することができる。本発明で言う実質的に均一な膜厚分布とは、スピンコートした基板を、例えば、ブラックライトなどを用いて蛍光強度分布を観察した場合に蛍光強度が実質的に均一である場合を言う。あるいは、スピンコートした基板上に固定化したリガンドに対してアナライトを相互作用させてＳＰＲの信号変化を測定した場合に、チップ内の位置による信号変化の変動係数（標準偏差を平均値で割った値の百分率）が好ましくは５％以下、より好ましくは４％以下であるような場合を言う。
【００２５】
本発明で用いる塗布液は、疎水性ポリマー溶液であることが好ましい。本発明で用いることができる疎水性ポリマーとは、水に実質的に不溶なものであり、具体的には、水に対する溶解度が０．１％未満のものである。疎水性ポリマーは、形成するモノマーの２５℃の水に対する溶解度が０重量％以上２０重量％以下であるモノマーを３０重量％以上１００重量％以下含有することが好ましい。
【００２６】
疎水性ポリマーを形成する疎水性モノマーとしては、ビニルエステル類、アクリル酸エステル類、メタクリル酸エステル類、オレフィン類、スチレン類、クロトン酸エステル類、イタコン酸ジエステル類、マレイン酸ジエステル類、フマル酸ジエステル類、アリル化合物類、ビニルエーテル類、ビニルケトン類等から任意に選ぶことができる。疎水性ポリマーとしては、１種類のモノマーから成るホモポリマーでも、２種類以上のモノマーから成るコポリマーでもよい。
【００２７】
本発明で好ましく用いられる疎水性ポリマーとしては、ポリスチレン、ポリエチレン、ポリプロピレン、ポリエチレンテレフタレート、ポリビニルクロライド、ポリメチルメタクリレート、ポリエステル、ナイロンなどが挙げられる。
【００２８】
本発明で用いられる疎水性ポリマーとしては、含水率が低いものが好ましい。好ましい含水率の範囲としては、０．０００１％以上０．１％以下である。具体的には、含水率はＩＳＯ６２に記載の方法に準じて測定される。キャスト法で６０ｍｍ角で厚さ１ｍｍの疎水性ポリマーのシートを作成し、重量（Ｗ１）を測定する。このシートを２３℃の蒸留水中に２４時間浸漬した後、浸漬後シート表面の水分を拭取り、重量（Ｗ２）を測定する。（Ｗ２−Ｗ１）／Ｗ１×１００を含水率（％）とする。
【００２９】
疎水性ポリマー層の厚さは特に限定されないが、積層したポリマー層の総膜厚として、好ましくは１オングストローム以上５０００オングストローム以下であり、特に好ましくは１０オングストローム以上３０００オングストローム以下である。
【００３０】
本発明においては、基板の最表面に生理活性物質を固定化することができる官能基を有することが好ましい。ここで言う「基板の最表面」とは、「基板から最も遠い側」という意味であり、さらに具体的には、「基板上にコーティングした疎水性高分子化合物中の基板から最も遠い側」という意味である。
【００３１】
表面修飾の方法としては、化学薬品、カップリング剤、界面活性剤、表面蒸着などを使用した化学処理、加熱、紫外線、放射線、プラズマ、イオンなどを使用した物理的処理から適宜選択することができる。
【００３２】
本発明では、上記したような表面修飾により共有結合を生成することのできる官能基を導入することが好ましい。好ましい官能基としては−ＯＨ、−ＳＨ、−ＣＯＯＨ、−ＮＲ1Ｒ2（式中、Ｒ1及びＲ2は互いに独立に水素原子又は低級アルキル基を示す）、−ＣＨＯ、−ＮＲ3ＮＲ1Ｒ2（式中、Ｒ1、Ｒ2及びＲ3は互いに独立に水素原子又は低級アルキル基を示す）、−ＮＣＯ、−ＮＣＳ、エポキシ基、またはビニル基などが挙げられる。ここで、低級アルキル基における炭素数は特に限定されないが、一般的にはＣ１〜Ｃ１０程度であり、好ましくはＣ１〜Ｃ６である。
【００３３】
表面にそれらの官能基を導入する方法としては、それらの官能基の前駆体を含有する疎水性高分子を金属表面あるいは金属膜上にコーティングした後、化学処理により最表面に位置する前駆体からそれらの官能基を生成させる方法が挙げられる。例えば−ＣＯＯＣＨ3基を含有する疎水性高分子化合物であるポリメチルメタクリレートを金属膜上にコーティングした後、その表面をＮａＯＨ水溶液（１Ｎ）に４０℃１６時間接触させると、最表面に−ＣＯＯＨ基が生成する。また、例えばポリスチレンコーティング層に、ＵＶオゾン処理すると最表面に−ＣＯＯＨ基および−ＯＨ基が発生する。
【００３４】
本発明で言う固体基板とは、最も広義に解釈され、機能を有する材料を支持する架台となるものを指し、硬質なものだけでなく、フィルム、シートなどフレキシブルなものも含む。
【００３５】
本発明で用いる固体基板は、金属表面、あるいは金属膜を疎水性ポリマーでコーティングしたものであることが好ましい。金属表面あるいは金属膜を構成する金属としては、例えば、表面プラズモン共鳴バイオセンサー用を考えた場合、表面プラズモン共鳴が生じ得るようなものであれば特に限定されない。好ましくは金、銀、銅、アルミニウム、白金等の自由電子金属が挙げられ、特に金が好ましい。それらの金属は単独又は組み合わせて使用することができる。また、上記基板への付着性を考慮して、基板と金属からなる層との間にクロム等からなる介在層を設けてもよい。
【００３６】
金属膜の膜厚は任意であるが、例えば、表面プラズモン共鳴バイオセンサー用を考えた場合、１オングストローム以上５０００オングストローム以下であるのが好ましく、特に１０オングストローム以上２０００オングストローム以下であるのが好ましい。５０００オングストロームを超えると、媒質の表面プラズモン現象を十分検出することができない。また、クロム等からなる介在層を設ける場合、その介在層の厚さは、１オングストローム以上、１００オングストローム以下であるのが好ましい。
【００３７】
金属膜の形成は常法によって行えばよく、例えば、スパッタ法、蒸着法、イオンプレーティング法、電気めっき法、無電解めっき法等によって行うことができる。
【００３８】
金属膜は好ましくは基板上に配置されている。ここで、「基板上に配置される」とは、金属膜が基板上に直接接触するように配置されている場合のほか、金属膜が基板に直接接触することなく、他の層を介して配置されている場合をも含む意味である。本発明で使用することができる基板としては例えば、表面プラズモン共鳴バイオセンサー用を考えた場合、一般的にはＢＫ７等の光学ガラス、あるいは合成樹脂、具体的にはポリメチルメタクリレート、ポリエチレンテレフタレート、ポリカーボネート、シクロオレフィンポリマーなどのレーザー光に対して透明な材料からなるものが使用できる。このような基板は、好ましくは、偏光に対して異方性を示さずかつ加工性の優れた材料が望ましい。
【００３９】
本発明で言う固体基板とは最も広義に解釈され、物質間の相互作用を電気的信号等の信号に変換して、対象となる物質を測定・検出するセンサーを意味する。本発明のセンサー用固体基板は、バイオセンサーとして使用することができる。通常のバイオセンサーは、検出対象とする化学物質を認識するレセプター部位と、そこに発生する物理的変化又は化学的変化を電気信号に変換するトランスデューサー部位とから構成される。生体内には、互いに親和性のある物質として、酵素／基質、酵素／補酵素、抗原／抗体、ホルモン／レセプターなどがある。バイオセンサーでは、これら互いに親和性のある物質の一方を基板に固定化して分子認識物質として用いることによって、対応させるもう一方の物質を選択的に計測するという原理を利用している。
【００４０】
上記のようにして得られたセンサー用固体基板は、上記の官能基を介して生理活性物質を共有結合させることによって、金属表面又は金属膜に生理活性物質を固定化することができる。
【００４１】
本発明のセンサー用基板に固定される生理活性物質としては、測定対象物と相互作用するものであれば特に限定されず、例えば免疫蛋白質、酵素、微生物、核酸、低分子有機化合物、非免疫蛋白質、免疫グロブリン結合性蛋白質、糖結合性蛋白質、糖を認識する糖鎖、脂肪酸もしくは脂肪酸エステル、あるいはリガンド結合能を有するポリペプチドもしくはオリゴペプチドなどが挙げられる。
【００４２】
免疫蛋白質としては、測定対象物を抗原とする抗体やハプテンなどを例示することができる。抗体としては、種々の免疫グロブリン、即ちＩｇＧ、ＩｇＭ、ＩｇＡ、ＩｇＥ、ＩｇＤを使用することができる。具体的には、測定対象物がヒト血清アルブミンであれば、抗体として抗ヒト血清アルブミン抗体を使用することができる。また、農薬、殺虫剤、メチシリン耐性黄色ブドウ球菌、抗生物質、麻薬、コカイン、ヘロイン、クラック等を抗原とする場合には、例えば抗アトラジン抗体、抗カナマイシン抗体、抗メタンフェタミン抗体、あるいは病原性大腸菌の中でＯ抗原26、86、55、111 、157 などに対する抗体等を使用することができる。
【００４３】
酵素としては、測定対象物又は測定対象物から代謝される物質に対して活性を示すものであれば、特に限定されることなく、種々の酵素、例えば酸化還元酵素、加水分解酵素、異性化酵素、脱離酵素、合成酵素等を使用することができる。具体的には、測定対象物がグルコースであれば、グルコースオキシダーゼを、測定対象物がコレステロールであれば、コレステロールオキシダーゼを使用することができる。また、農薬、殺虫剤、メチシリン耐性黄色ブドウ球菌、抗生物質、麻薬、コカイン、ヘロイン、クラック等を測定対象物とする場合には、それらから代謝される物質と特異的反応を示す、例えばアセチルコリンエステラーゼ、カテコールアミンエステラーゼ、ノルアドレナリンエステラーゼ、ドーパミンエステラーゼ等の酵素を使用することができる。
【００４４】
微生物としては、特に限定されることなく、大腸菌をはじめとする種々の微生物を使用することができる。
核酸としては、測定の対象とする核酸と相補的にハイブリダイズするものを使用することができる。核酸は、ＤＮＡ（ｃＤＮＡを含む）、ＲＮＡのいずれも使用できる。ＤＮＡの種類は特に限定されず、天然由来のＤＮＡ、遺伝子組換え技術により調製した組換えＤＮＡ、又は化学合成ＤＮＡの何れでもよい。
低分子有機化合物としては通常の有機化学合成の方法で合成することができる任意の化合物が挙げられる。
【００４５】
非免疫蛋白質としては、特に限定されることなく、例えばアビジン（ストレプトアビジン）、ビオチン又はレセプターなどを使用できる。
免疫グロブリン結合性蛋白質としては、例えばプロテインＡあるいはプロテインＧ、リウマチ因子（ＲＦ）等を使用することができる。
糖結合性蛋白質としては、レクチン等が挙げられる。
脂肪酸あるいは脂肪酸エステルとしては、ステアリン酸、アラキジン酸、ベヘン酸、ステアリン酸エチル、アラキジン酸エチル、ベヘン酸エチル等が挙げられる。
【００４６】
上記のようにして生理活性物質を固定化したバイオセンサーは、当該生理活性物質と相互作用する物質の検出及び／又は測定のために使用することができる。
【００４７】
本発明では、センサー用固体基板に固定化されている生理活性物質と被験物質との相互作用を非電気化学的方法により検出及び／又は測定することが好ましい。非電気化学的方法としては、表面プラズモン共鳴（ＳＰＲ）測定技術、水晶発振子マイクロバランス（ＱＣＭ）測定技術、金のコロイド粒子から超微粒子までの機能化表面を使用した測定技術などが挙げられる。
【００４８】
本発明の好ましい態様によれば、本発明のバイオセンサーは、例えば、透明基板上に配置される金属膜を備えていることを特徴とする表面プラズモン共鳴用バイオセンサーとして用いることができる。
【００４９】
表面プラズモン共鳴用バイオセンサーとは、表面プラズモン共鳴バイオセンサーに使用されるバイオセンサーであって、該センサーより照射された光を透過及び反射する部分、並びに生理活性物質を固定する部分とを含む部材を言い、該センサーの本体に固着されるものであってもよく、また脱着可能なものであってもよい。
【００５０】
表面プラズモン共鳴の現象は、ガラス等の光学的に透明な物質と金属薄膜層との境界から反射された単色光の強度が、金属の出射側にある試料の屈折率に依存することによるものであり、従って、反射された単色光の強度を測定することにより、試料を分析することができる。
【００５１】
表面プラズモンが光波によって励起される現象を利用して、被測定物質の特性を分析する表面プラズモン測定装置としては、Kretschmann配置と称される系を用いるものが挙げられる（例えば特開平６−１６７４４３号公報参照）。上記の系を用いる表面プラズモン測定装置は基本的に、例えばプリズム状に形成された誘電体ブロックと、この誘電体ブロックの一面に形成されて試料液などの被測定物質に接触させられる金属膜と、光ビームを発生させる光源と、上記光ビームを誘電体ブロックに対して、該誘電体ブロックと金属膜との界面で全反射条件が得られるように種々の角度で入射させる光学系と、上記界面で全反射した光ビームの強度を測定して表面プラズモン共鳴の状態、つまり全反射減衰の状態を検出する光検出手段とを備えてなるものである。
【００５２】
なお上述のように種々の入射角を得るためには、比較的細い光ビームを入射角を変化させて上記界面に入射させてもよいし、あるいは光ビームに種々の角度で入射する成分が含まれるように、比較的太い光ビームを上記界面に収束光状態であるいは発散光状態で入射させてもよい。前者の場合は、入射した光ビームの入射角の変化に従って、反射角が変化する光ビームを、上記反射角の変化に同期して移動する小さな光検出器によって検出したり、反射角の変化方向に沿って延びるエリアセンサによって検出することができる。一方後者の場合は、種々の反射角で反射した各光ビームを全て受光できる方向に延びるエリアセンサによって検出することができる。
【００５３】
上記構成の表面プラズモン測定装置において、光ビームを金属膜に対して全反射角以上の特定入射角で入射させると、該金属膜に接している被測定物質中に電界分布をもつエバネッセント波が生じ、このエバネッセント波によって金属膜と被測定物質との界面に表面プラズモンが励起される。エバネッセント光の波数ベクトルが表面プラズモンの波数と等しくて波数整合が成立しているとき、両者は共鳴状態となり、光のエネルギーが表面プラズモンに移行するので、誘電体ブロックと金属膜との界面で全反射した光の強度が鋭く低下する。この光強度の低下は、一般に上記光検出手段により暗線として検出される。なお上記の共鳴は、入射ビームがｐ偏光のときにだけ生じる。したがって、光ビームがｐ偏光で入射するように予め設定しておく必要がある。
【００５４】
この全反射減衰（ＡＴＲ）が生じる入射角、すなわち全反射減衰角（θＳＰ）より表面プラズモンの波数が分かると、被測定物質の誘電率が求められる。この種の表面プラズモン測定装置においては、全反射減衰角（θＳＰ）を精度良く、しかも大きなダイナミックレンジで測定することを目的として、特開平１１−３２６１９４号公報に示されるように、アレイ状の光検出手段を用いることが考えられている。この光検出手段は、複数の受光素子が所定方向に配設されてなり、前記界面において種々の反射角で全反射した光ビームの成分をそれぞれ異なる受光素子が受光する向きにして配設されたものである。
【００５５】
そしてその場合は、上記アレイ状の光検出手段の各受光素子が出力する光検出信号を、該受光素子の配設方向に関して微分する微分手段が設けられ、この微分手段が出力する微分値に基づいて全反射減衰角（θＳＰ）を特定し、被測定物質の屈折率に関連する特性を求めることが多い。
【００５６】
また、全反射減衰（ＡＴＲ）を利用する類似の測定装置として、例えば「分光研究」第４７巻 第１号（１９９８）の第２１〜２３頁および第２６〜２７頁に記載がある漏洩モード測定装置も知られている。この漏洩モード測定装置は基本的に、例えばプリズム状に形成された誘電体ブロックと、この誘電体ブロックの一面に形成されたクラッド層と、このクラッド層の上に形成されて、試料液に接触させられる光導波層と、光ビームを発生させる光源と、上記光ビームを上記誘電体ブロックに対して、該誘電体ブロックとクラッド層との界面で全反射条件が得られるように種々の角度で入射させる光学系と、上記界面で全反射した光ビームの強度を測定して導波モードの励起状態、つまり全反射減衰状態を検出する光検出手段とを備えてなるものである。
【００５７】
上記構成の漏洩モード測定装置において、光ビームを誘電体ブロックを通してクラッド層に対して全反射角以上の入射角で入射させると、このクラッド層を透過した後に光導波層においては、ある特定の波数を有する特定入射角の光のみが導波モードで伝搬するようになる。こうして導波モードが励起されると、入射光のほとんどが光導波層に取り込まれるので、上記界面で全反射する光の強度が鋭く低下する全反射減衰が生じる。そして導波光の波数は光導波層の上の被測定物質の屈折率に依存するので、全反射減衰が生じる上記特定入射角を知ることによって、被測定物質の屈折率や、それに関連する被測定物質の特性を分析することができる。
【００５８】
なおこの漏洩モード測定装置においても、全反射減衰によって反射光に生じる暗線の位置を検出するために、前述したアレイ状の光検出手段を用いることができ、またそれと併せて前述の微分手段が適用されることも多い。
【００５９】
また、上述した表面プラズモン測定装置や漏洩モード測定装置は、創薬研究分野等において、所望のセンシング物質に結合する特定物質を見いだすランダムスクリーニングへ使用されることがあり、この場合には前記薄膜層（表面プラズモン測定装置の場合は金属膜であり、漏洩モード測定装置の場合はクラッド層および光導波層）上に上記被測定物質としてセンシング物質を固定し、該センシング物質上に種々の被検体が溶媒に溶かされた試料液を添加し、所定時間が経過する毎に前述の全反射減衰角（θＳＰ）の角度を測定している。
【００６０】
試料液中の被検体が、センシング物質と結合するものであれば、この結合によりセンシング物質の屈折率が時間経過に伴って変化する。したがって、所定時間経過毎に上記全反射減衰角（θＳＰ）を測定し、該全反射減衰角（θＳＰ）の角度に変化が生じているか否か測定することにより、被検体とセンシング物質の結合状態を測定し、その結果に基づいて被検体がセンシング物質と結合する特定物質であるか否かを判定することができる。このような特定物質とセンシング物質との組み合わせとしては、例えば抗原と抗体、あるいは抗体と抗体が挙げられる。具体的には、ウサギ抗ヒトＩｇＧ抗体をセンシング物質として薄膜層の表面に固定し、ヒトＩgＧ抗体を特定物質として用いることができる。
【００６１】
なお、被検体とセンシング物質の結合状態を測定するためには、全反射減衰（θＳＰ）の角度そのものを必ずしも検出する必要はない。例えばセンシング物質に試料液を添加し、その後の全反射減衰角（θＳＰ）の角度変化量を測定して、その角度変化量の大小に基づいて結合状態を測定することもできる。前述したアレイ状の光検出手段と微分手段を全反射減衰を利用した測定装置に適用する場合であれば、微分値の変化量は、全反射減衰角（θＳＰ）の角度変化量を反映しているため、微分値の変化量に基づいて、センシング物質と被検体との結合状態を測定することができる（本出願人による特願２０００−３９８３０９号参照）。このような全反射減衰を利用した測定方法および装置においては、底面に予め成された薄膜層上にセンシング物質が固定されたカップ状あるいはシャーレ状の測定チップに、溶媒と被検体からなる試料液を滴下供給して、上述した全反射減衰角（θＳＰ）の角度変化量の測定を行っている。
【００６２】
さらに、ターンテーブル等に搭載された複数個の測定チップの測定を順次行うことにより、多数の試料についての測定を短時間で行うことができる全反射減衰を利用した測定装置が、特開２００１−３３０５６０号公報に記載されている。
【００６３】
本発明のバイオセンサーを表面プラズモン共鳴分析に使用する場合、上記したような各種の表面プラズモン測定装置の一部として適用することができる。
以下の実施例により本発明を更に具体的に説明するが、本発明の範囲はこれらの実施例に限定されるものではない。
【実施例】
【００６４】
実施例１：本発明のスピンコート基板
（１）基板
縦４５ｍｍ×横４５ｍｍ×厚さ０．７ｍｍのガラス基板の四隅１ｍｍをガラス基板の平面に対して２０°の角度で削られた形状としたガラス基板をスピンコート用基板として使用した。
【００６５】
（２）塗布液の調液
ポリ(3,3,4,4,5,5,6,6,7,7,8,8,8-トリデカフルオロオクチルアクリレート)-ポリ(ベンジルメタクリレート)コポリマー（モノマー重量比４／６、重量平均分子量３万、以降ポリマーＡと略記）０.３ｇ、４-(ジシアノメチレン)-２-メチル-６-(４-ジメチルアミノスチリル)-４Ｈ-ピラン（以降ＤＣＭと略記）０.０１５ｇををメチルイソブチルケトンに溶解し、液量が１００ｍＬになるようにメチルイソブチルケトンを添加した。このポリマーＡ溶液（０．３％）を０.４５μｍフィルターで濾過し塗布液Ａを調製した。メチルイソブチルケトンは予めモレキュラーシーブス４Ａ １／１６で１６時間脱水処置したものを使用した。
【００６６】
（３）スピンコート
スピンコート用基板をスピンコート機（MODEL SC408(特)、ナノテック社製）のインナーカップ中心にセットした。マイクロピペットを用いてこのシリコン基板上に０.３％ポリマーＡ溶液（０．３％）を２００μＬ滴下し、ガラス基板全面を０．３％ポリマーＡ溶液（０．３％）で被覆し、１０００ｒｐｍ回転させ、４５秒間に停止した。
【００６７】
（４）膜厚分布評価
スピンコートした基板をブラックライト（アズワンシ社製ＳＬＵＶ−６、波長２５４ｎｍ）下で膜厚分布を観察し、蛍光強度分布を観察した。ガラス基板四隅の切削箇所以外の蛍光強度は均一で、スピンコート膜の膜厚分布は観察されなかった。
【００６８】
比較例１：比較例のスピンコート基板
縦４５ｍｍ×横４５ｍｍ×厚さ０．７ｍｍの全面平滑なガラス基板をスピンコート用基板として使用したこと以外実施例１と同じ操作でスピンコートと評価を行った。蛍光強度分布から、中央円形部は膜厚が薄く、残る角部が膜厚が厚くなり、基板全面に均一厚みの膜を形成できなかった。
【００６９】
実施例２：本発明のスピンコートチップ
（１）金表面基板の作製
縦８ｍｍ×横８０ｍｍ×厚さ０.５ｍｍのガラス基板で、基板表面の長辺部一辺が縁から１ｍｍ幅の領域が基板表面より２０μｍ高くしている基板に、平行平板型６インチ用スパッタ装置（ＳＨ−５５０、アルバック(株)社製）を用いて基板上にクロムの厚
さが１ｎｍとなるようスパッタし、さらにクロム上に金の厚さが５０ｎｍになるようにスパッタ製膜を行った。この基板をModel-208UV-オゾンクリーニングシステム（TECHNOVISION INC.）で３０分処理し、金表面基板を作製した。
【００７０】
（２）塗布液調製
ポリ(3,3,4,4,5,5,6,6,7,7,8,8,8-トリデカフルオロオクチルアクリレート)-ポリ(ベンジルメタクリレート)コポリマー（モノマー重量比４／６、重量平均分子量３万、以降ポリマーＡと略記）１.５ｇをメチルイソブチルケトンに溶解し、液量が１００ｍＬになるようにメチルイソブチルケトンを添加した。このポリマーＡ溶液を０.４５μｍフィルターで濾過し塗布液Ａを調製した。メチルイソブチルケトンは予めモレキュラーシーブス４Ａ １／１６で１６時間脱水処置したものを使用した。
【００７１】
（３）スピンコートチップの作成
金表面基板の基板より２０μｍ高い領域をスピンコート外側となるよう縦４０ｍｍ×横１２０ｍｍ×深さ２０ｍｍの密閉構造を有するアルミニウム容器内にセットした。このアルミニウム容器を密閉式インナーカップを有するスピンコート機（MODEL SC408(特)、ナノテック社製）のインナーカップ上にガラス基板が中心から１３０ｍｍの位置に円弧の接線方向が長軸となるよう固定した。マイクロピペットを用いてこのガラス基板上にポリマーＡ溶液を１００μＬ滴下し、ガラス基板全面をポリマー溶液Ａで被覆した。アルミニウム容器を密閉し、１５０ｒｐｍ回転させ、６０秒間に停止した。ガラス基板は、５分間密閉容器中に静置し、室温で一晩常圧乾燥させた。
【００７２】
（４）ポリマーＡ層表面へのＣＯＯＨ基の導入
（３）で作製したスピンコートチップをＮａＯＨ水溶液（１Ｎ）に６０℃１６時間浸漬した後、水で３回洗浄したこのサンプルをＣＯＯＨ修飾スピンコートチップと呼ぶ。
【００７３】
（５）ＰｒｏｔｅｉｎＡの固定化
上記の方法で作成したＣＯＯＨ修飾スピンコートチップに、１−エチルー２、３−ジメチルアミノプロピルカルボジイミド（２００ｍＭ）と、Ｎ−ヒドロキシスクシンイミド（５０ｍＭ）との混合液を３０分接触させ、次に５０ｍＭ酢酸バッファー（ｐＨ４.５、ビアコア社製）で洗浄した。次に、ＰｒｏｔｅｉｎＡ（ナカライテスク社製）溶液（１００μｇ／ｍＬ、５０ｍＭ酢酸バッファー、ｐＨ４.５）を３０分間接触させ、その後５０ｍＭ酢酸バッファー（ｐＨ４.５）で洗浄した。
【００７４】
さらに、エタノールアミン・ＨＣｌ溶液（１Ｍ、ｐＨ８.５）を３０分間接触させた後、５０ｍＭ酢酸バッファー（ｐＨ４.５）で洗浄することにより、ＰｒｏｔｅｉｎＡと反応せずに残存した活性化ＣＯＯＨ基をブロックした。
【００７５】
さらに、ＮａＯＨ水溶液（１０ｍＭ）を１分間接触させた後、ＨＢＳ−ＥＰバッファー（ＨＥＰＥＳ(N-2-Hydroxyethylpiperazine-N'-2-ethanesulfonicAcid)０.０１ｍｏｌ／Ｌ（ｐＨ７.４）、ＮａＣｌ ０.１５ｍｏｌ／Ｌ、ＥＤＴＡ ０.００３ｍｏｌ／Ｌ、ｓｕｒｆａｃｔａｎｔＰ２０ ０.００５重量％、ビアコア社製）で洗浄することにより、スピンコートチップ表面に非特異的に吸着しているＰｒｏｔｅｉｎＡを除去した。このサンプルをＰｒｏｔｅｉｎＡ固定チップと呼ぶ。
【００７６】
（６）ｍｏｕｓｅ ＩｇＧの結合信号の検出
ＰｒｏｔｅｉｎＡ固定チップの検出位置に依らず、結合信号が安定しているほど、実験の信頼性が高い。ｍｏｕｓｅ ＩｇＧの結合量のＰｒｏｔｅｉｎＡ固定チップ位置依存は以下の方法で評価した。
【００７７】
上記手順で作成したｐｒｏｔｅｉｎＡ固定チップをそれぞれ表面プラズモン共鳴測定装置（Applied Spectroscopy、 42(8)、 1375-1379(1988)の図５に記載のＳＰＲ共鳴装置）にセットした。チップをセットする位置は、レーザー光の当たる中心位置が縦方向は中央に、横方向は端部から１０ｍｍの位置にセットした。チップ上にはポリプロピレン製の部材を被せることにより、幅（縦方向）１ｍｍ、長さ（横方法）７.５ｍｍ、深さ１ｍｍのセルを作成した。
【００７８】
測定セル内をＨＢＳ−ＥＰバッファーで満たし、測定を開始した。セル内をｍｏｕｓｅ ＩｇＧ（コスモバイオ社製）溶液（１０μｇ／ｍＬ、ＨＢＳ−ＥＰバッファー）に置き換え、５分間静置した。５分後の信号変化を算出した。
【００７９】
さらに、セル内をＮａＯＨ水溶液（１０ｍＭ）を１分間接触させた後、ＨＢＳ−ＥＰバッファーで洗浄することにより、ｍｏｕｓｅ ＩｇＧの結合が外れ、信号がベースラインに戻ることを確認した。
【００８０】
チップの位置を横方向に端部からさらに１０ｍｍ離れた位置に固定し、同様にｍｏｕｓｅ ＩｇＧの結合測定を行った。さらに、チップを横方向の端部から１０ｍｍおきになるようそれぞれセットし、１このＰｒｏｔｅｉｎＡ固定チップにつき７点測定した。
【００８１】
（７）結果
表１にｍｏｕｓｅ ＩｇＧ結合によるチップ内の位置による信号変化を示す。ＣＶは、変動係数（標準偏差を平均値で割った値の百分率）を示す。
【００８２】
比較例２：比較例のスピンコートチップ
縦８ｍｍ×横８０ｍｍ×厚さ０.５ｍｍのガラス基板で、基板表面が全面にわたって平滑な面の基板を使用したこと以外、実施例２と同じ方法でスピンコートチップを作製し、評価した。表１に評価結果を示す。
【００８３】
【表１】
2006212534.tif 000003
【００８４】
表１の結果から、本発明のスピンコートチップはチップの測定位置による信号変化のばらつきが小さいことが分かる。
【図面の簡単な説明】
【００８５】
【図１】図１は、塗布面と液飛散面との位置関係を示す、本発明のスピンコート用基板の上面図と側面図の具体例を示す。
【図１】
2006212534.tif 000004